(57)【特許請求の範囲】
【請求項１】
両側端部が開口した箱体における底板と天板の両側端に、半円形状に形成した離脱防止用の舌片を折曲げ自在に連続して設けてなる２缶収納サイズの缶類用ホルダーであって、前板と後板の上部にそれぞれ天板との境界を底辺とする二等辺三角形を形成するようにＶ字形状の折線を設け、かつそのＶ字の頂点から底板の方に向けて伸びる折線を前板と後板にそれぞれ設けたことを特徴とする缶類用ホルダー。
【請求項２】
両側端部が開口した箱体における底板と天板の両側端に、半円形状に形成した離脱防止用の舌片を折曲げ自在に連続して設けてなる２缶収納サイズの缶類用ホルダーであって、天板の前後部にそれぞれ前板と後板との境界を底辺とする二等辺三角形を形成するようにＶ字形状の折線を設け、かつ天板にはそれらの二等辺三角形の頂点を通って縦断する折線を設け、天板を縦断する折線に繋がって底板の方に向けて伸びる折線を前板と後板にそれぞれ設けたことを特徴とする缶類用ホルダー。
【発明の詳細な説明】
【技術分野】
【０００１】
本発明は、缶ビール、缶ジュース等の缶類を数本まとめて収納する缶類用ホルダーに関するものである。
【背景技術】
【０００２】
従来、缶ビールや缶ジュースなどの缶類を数本まとめて収納する板紙製のホルダーとして、特許文献１に記載のものが知られている。この文献に記載のホルダーは、両側端に開口部を有するように構成した箱体の底板及び天板の両端部に、缶の上下両端部にそれぞれ形成された環状部の内径寸法に合致する半円形状の離脱防止用舌片をそれぞれ連続させ、かつ、この離脱用舌片を底板及び天板の両端部の内側に、先端部が多少の弾撥力を持つように折り込んだ構造である。
【０００３】
そして、このホルダー内に缶を収容すると、天板の両端に形成された離脱防止用の舌片が、両端部に収容された缶の上端部に形成されている環状の巻き締め部の内側周縁部に当接して缶の移動を防止し、また、底板の両端に形成した離脱防止用の舌片が、缶の底部に形成した円形の窪みの内径に当接して缶の移動を防止するようになっている。
【０００４】
【特許文献１】特開平７−１０１４５９号公報
【発明の開示】
【発明が解決しようとする課題】
【０００５】
上記した従来の缶類用ホルダーは、店頭での展示や購入後の持ち運びに便利であり広く利用されている。しかしながら、持ち運ぶときは、平らな前後板を把持して持ち上げるので、滑って持ちにくいという問題点がある。特に、冷やされて販売される場合には表面に水滴が付着して一層滑りやすくなる。また、収納した缶に対して外れようとする力が働いたときに、天板の下側に折り込んだ舌片が折れ曲がって外れるという問題点もある。
【０００６】
本発明は、従来の缶類用ホルダーが有するこのような問題点に鑑みてなされたものであり、その目的とするところは、持ちやすさを向上させるとともに缶がしっかりと固定されるようにした缶類用ホルダーを提供することにある。
【課題を解決するための手段】
【０００７】
上記の目的を達成するため、本発明に係る第１のタイプの缶類用ホルダーは、両側端部が開口した箱体における底板と天板の両側端に、半円形状に形成した離脱防止用の舌片を折曲げ自在に連続して設けてなる２缶収納サイズの缶類用ホルダーであって、前板と後板の上部にそれぞれ天板との境界を底辺とする二等辺三角形を形成するようにＶ字形状の折線を設け、かつそのＶ字の頂点から底板の方に向けて伸びる折線を前板と後板にそれぞれ設けたことを特徴としている。
【０００８】
また、同様の目的を達成するため、本発明に係る第２のタイプの缶類用ホルダーは、両側端部が開口した箱体における底板と天板の両側端に、半円形状に形成した離脱防止用の舌片を折曲げ自在に連続して設けてなる２缶収納サイズの缶類用ホルダーであって、天板の前後部にそれぞれ前板と後板との境界を底辺とする二等辺三角形を形成するようにＶ字形状の折線を設け、かつ天板にはそれらの二等辺三角形の頂点を通って縦断する折線を設け、天板を縦断する折線に繋がって底板の方に向けて伸びる折線を前板と後板にそれぞれ設けたことを特徴としている。
【発明の効果】
【０００９】
本発明に係る第１のタイプの缶類用ホルダーは、２缶を収納した状態で前板及び後板をそのＶ字状折線の頂点付近、すなわちＹ字の中心付近を掴むようにして持つと、缶と缶の隙間のところに指掛かりができるようにして前板及び後板に凹部が形成されるので、持ったときに滑るのが防止される。また、前板及び後板を掴むと、収納された缶を前後から引き締めると同時に、天板先端部に強い張りが生じ、天板先端部の反り上がりが防止されることから、それに繋がる舌片が折れ曲がり難くなって外れ難くなる。
【００１０】
本発明に係る第２のタイプの缶類用ホルダーは、２缶を収納した状態で前板及び後板をその上部を掴むようにして持つと、天板がそれを縦断する折線のところで山形に膨らむとともに、前板及び後板は上下方向の折線のところで隣接する缶の間に沿うようにして内側に凹むので、持ったときに滑るのが防止される。また、前板及び後板を掴むと、収納された缶を前後から引き締めると同時に天板先端部に強い張りが生じ、天板先端部の反り上がりが防止されることから、それに繋がる舌片が折れ曲がり難くなって外れ難くなる。
【発明を実施するための最良の形態】
【００１１】
次に、本発明の実施の形態について図面を参照しながら詳細に説明する。
【００１２】
図１は本発明に係る第１のタイプの缶類用ホルダーの一例を示す斜視図、図２は図１のホルダーを組み立てるブランクの展開図、図３は缶を収納した状態で示す斜視図、図４は缶収納状態のホルダーを手で持った状態で示す斜視図である。
【００１３】
このホルダーＡは、図１に示すように、両側端部が開口した箱体における底板１１と天板１３の両側端に、半円形状に形成した離脱防止用の舌片１６，１７を折線ａにより折曲げ自在に連続して設けてなる２缶収納サイズの缶類用ホルダーであって、前板１２と後板１４の上部にそれぞれ天板１３との境界を底辺とする二等辺三角形を形成するようにＶ字形状の折線ｂを設け、かつそのＶ字の頂点から底板１１の方に向けて伸びる折線ｃを前板１２と後板１４にそれぞれ設けた構造になっている。
【００１４】
図１に示すホルダーＡは、薄手の板紙を打ち抜いた図２に示す一枚のブランクを組み立てて形成される。このブランク１０は、図示のように、底板１１、前板１２、天板１３、後板１４及び糊代板１５がそれぞれ折線ｄを介してこの順で連設されている。これらの折線ｄは、箱体の各構成部分を区画しており、ブランク１０をこの折線ｄのところで折り曲げてサック貼りし、起こすことで箱形状とされる。なお、底板１１と前板１２の境界にある折線ｄは、この部分を折り曲げやすくするために、押罫の途中に複数の切込を設けたリード罫としている。
【００１５】
また、底板１１にはその両側端にそれぞれ半円形状の舌片１６が連設され、それらは折線ａにより折曲げ自在になっており、天板１３にはその両側端にそれぞれ半円形状の舌片１７が連設され、それらは折線ａにより折曲げ自在になっている。各舌片１６，１７のサイズは、収納する缶における上下面の窪みのサイズに対応させてある。そして、これらの舌片１６，１７にはそれぞれ図示の如く平行な３本が向き合った合計６本の罫線１６ａ，１７ａを形成してあり、これによって曲げに対する強度をアップさせている。この補強用の罫線１６ａ，１７ａは、箱の前後方向に形成すると意味がなく、左右方向の成分を多く持たせるパターンで強度設計する。
【００１６】
前板１２と後板１４には、その天板１３寄りのところに、天板１３との境界線と平行な補助折線ｅが設けられており、前板１２には、その底板１１寄りのところに底板１１との境界線と平行な補助折線ｆが設けられ、後板１４には、その糊代板１５寄りのところに糊代板１５との境界線と平行な補助折線ｆが設けられている。前板１２と後板１４にこのような折線ｅ，ｆが設けてあると、箱体に缶を差し込んで収納したときに、缶の形状に沿うにして前板１２と後板１４がこの折線ｅ，ｆのところで折り曲げられることによって、図３に示す如く前板１２と後板１４の上下位置にそれぞれ傾斜部が形成される。
【００１７】
また、後板１４には、その糊代板１５寄りのところに、先端部分が糊代板１５の一部で構成される開封用の破断部が一連の切込線αにより区画されている。この切込線αは、所定幅の先端部分から後板１４の両端に向かって広がるように形成されている。
【００１８】
そして、前板１２と後板１４における天板１３寄りのところには、それぞれ天板１３との境界を底辺とする二等辺三角形を形成するようにＶ字形状の折線ｂが設けられ、かつそのＶ字の頂点から底板１１の方に向けて前板１２と後板１４をそれぞれ縦断するように伸びる折線ｃが設けられている。また、前板１２における底板１１寄りのところには、底板１１との境界を底辺とする二等辺三角形を形成するようにＶ字形状の折線ｇが設けられ、後板１４における糊代板１５寄りのところには、糊代板１５との境界を底辺とする二等辺三角形を形成するようにＶ字形状の折線ｇが設けられており、前板１２と後板１４をそれぞれ縦断する折線ｃはそのＶ字の頂点に繋がっている。
【００１９】
このようなホルダーＡに対しては、図３に示すように、ビールやジュースなどの飲料が入った２本の缶Ｃを収納できる。図示の缶Ｃは上下面にそれぞれ窪み部を有したアルミ缶であり、上面の窪み部はその縁部が環状の締付け部により形成され、下面の窪み部はその縁部が曲折された高台によって形成されているだけである。この缶ＣをホルダーＡの両側端部の開口から挿入する。このとき、底板１１に連設した舌片１６の端縁を缶Ｃにおける下面の窪み部の縁部に係止させ、また同時に、天板１３に連設した舌片１７の端縁を缶Ｃにおける上面の窪み部の縁部に係止させる。舌片１６，１７の係止は、これらの折曲げによる反発力に基づくものである。このように収納状態すると、前述したように、前板１２と後板１４の上下位置にそれぞれ傾斜部が形成される。そして、このようにして収納された２つの缶Ｃは、ホルダーＡ内で、それらの上下部が舌片１６，１７の端縁で係止された状態にあり、安定して保持される。
【００２０】
この缶類用ホルダーＡを収納状態で持ち運ぶときは、図４に示すように、前板１２及び後板１４をそのＶ字状折線の頂点付近、すなわちＹ字の中心付近を掴むことになる。このようにホルダーＡを把持すると、Ｖ字形状の折線ｂとその頂点から伸びる縦方向の折線ｃのところで前板１２と後板１４が内側へと撓み、缶Ｃと缶Ｃの隙間のところに指掛かりができるようにして前板１２及び後板１４に凹部が形成される。したがって、持った部分が凹むことにより持ちやすさが向上して滑るのが防止される。また、前板１２及び後板１４を掴むと、収納された缶Ｃを前後から引き締めると同時に、天板１３の先端部に強い張りが生じ、天板１３の先端部の反り上がりが防止され、それに繋がる舌片１６が折れ曲がり難くなって外れ難くなる。しかも、この例のホルダーＡでは、舌片１６，１７にそれぞれ補強用の罫線１６ａ，１７ａを形成してあるので、これによってさらに曲がり難くなっている。また、底板１１寄りのところに設けてあるＶ字状の折線ｇも前板１２と後板１４の内側への撓みに寄与する。
【００２１】
図５は本発明に係る第２のタイプの缶類用ホルダーの一例を示す斜視図、図６は図５のホルダーを組み立てるブランクの展開図、図７は缶を収納した状態で示す斜視図、図８は缶収納状態のホルダーを手で持った状態で示す斜視図である。
【００２２】
このホルダーＢは、図５に示すように、両側端部が開口した箱体における底板２１と天板２３の両側端に、半円形状に形成した離脱防止用の舌片２６，２７を折線ｈにより折曲げ自在に連続して設けてなる２缶収納サイズの缶類用ホルダーであって、天板２３の前後部にそれぞれ前板２２と後板２４との境界を底辺とする二等辺三角形を形成するようにＶ字形状の折線ｉを設け、かつ天板２３にはそれらの二等辺三角形の頂点を通って縦断する折線ｊを設け、天板２３を縦断する折線ｊに繋がって底板の方に向けて伸びる折線ｋを前板２２と後板２４にそれぞれ設けた構造になっている。
【００２３】
図５に示すホルダーＢは、薄手の板紙を打ち抜いた図６に示す一枚のブランクを組み立てて形成される。このブランク２０は、図示のように、底板２１、前板２２、天板２３、後板２４及び糊代板２５がそれぞれ折線ｌを介してこの順で連設されている。これらの折線ｌは、箱体の各構成部分を区画しており、ブランク２０をこの折線ｌのところで折り曲げてサック貼りし、起こすことで箱形状とされる。なお、底板２１と前板２２の境界にある折線ｌは、この部分を折り曲げやすくするために、押罫の途中に複数の切込を設けたリード罫としている。
【００２４】
また、底板２１にはその両側端にそれぞれ半円形状の舌片２６が連設され、それらは折線ｈにより折曲げ自在になっており、天板２３にはその両側端にそれぞれ半円形状の舌片２７が連設され、それらは折線ｈにより折曲げ自在になっている。各舌片２６，２７のサイズは、収納する缶における上下面の窪みのサイズに対応させてある。そして、これらの舌片２６，２７にはそれぞれ図示の如く平行な３本が向き合った合計６本の罫線２６ａ，２７ａを形成してあり、これによって曲げに対する強度をアップさせている。この補強用の罫線２６ａ，２７ａは、箱の前後方向に形成すると意味がなく、左右方向の成分を多く持たせるパターンで強度設計する。
【００２５】
前板２２と後板２４には、その天板２３寄りのところに、天板２３との境界線と平行な補助折線ｍが設けられており、前板２２には、その底板２１寄りのところに底板２１との境界線と平行な補助折線ｎが設けられ、後板２４には、その糊代板２５寄りのところに糊代板２５との境界線と平行な補助折線ｎが設けられている。前板２２と後板２４にこのような折線ｍ，ｎが設けてあると、箱体に缶を差し込んで収納したときに、缶の形状に沿うにして前板２２と後板２４がこの折線ｍ，ｎのところで折り曲げられることによって、図７に示す如く前板２２と後板２４の上下位置にそれぞれ傾斜部が形成される。
【００２６】
そして、天板２３の前後部にそれぞれ前板２２と後板２４との境界を底辺とする二等辺三角形を形成するようにＶ字形状の折線ｉが設けられ、かつ天板２３にはそれらの二等辺三角形の頂点を通って縦断する折線ｊが設けられており、天板２３を縦断する折線ｊに繋がって底板２１の方に向けて前板２２と後板２４をそれぞれ縦断するように伸びる折線ｋが設けられている。また、前板２２における底板２１寄りのところには、底板２１との境界を底辺とする二等辺三角形を形成するようにＶ字形状の折線ｏが設けられ、後板２４における糊代板２５寄りのところには、糊代板２５との境界を底辺とする二等辺三角形を形成するようにＶ字形状の折線ｐが設けられており、前板２２と後板２４をそれぞれ縦断する折線ｋはそのＶ字の頂点に繋がっている。
【００２７】
このようなホルダーＢに対しては、図７に示すように、ビールやジュースなどの飲料が入った２本の缶Ｃを収納できる。図示の缶Ｃは前記と同じ上下面にそれぞれ窪み部を有したアルミ缶であり、上面の窪み部はその縁部が環状の締付け部により形成され、下面の窪み部はその縁部が曲折された高台によって形成されているだけである。この缶ＣをホルダーＢの両側端部の開口から挿入する。このとき、底板２１に連設した舌片２６の端縁を缶Ｃにおける下面の窪み部の縁部に係止させ、また同時に、天板２３に連設した舌片２７の端縁を缶Ｃにおける上面の窪み部の縁部に係止させる。舌片２６，２７の係止は、これらの折曲げによる反発力に基づくものである。このように収納すると、前述したように、前板２２と後板２４の上下位置にそれぞれ傾斜部が形成される。そして、このようにして収納された２つの缶Ｃは、ホルダーＢ内で、それらの上下部が舌片２６，２７の端縁で係止された状態にあり、安定して保持される。
【００２８】
この缶類用ホルダーＢを収納状態で持ち運ぶときは、図８に示すように、前板１２及び後板１４の上部を掴むことになる。このようにホルダーＢを把持すると、天板２３がそれを縦断する折線ｊのところで山形に膨らむとともに、前板２２及び後板２４は上下方向の折線ｋのところで隣接する缶Ｃの間に沿うようにして内側に凹む。したがって、持った部分が凹むことにより持ちやすさが向上して滑るのが防止される。また、前板２２及び後板２４を掴むと、収納された缶Ｃを前後から引き締めると同時に、天板２３の先端部に強い張りが生じ、天板２３の先端部の反り上がりが防止され、それに繋がる舌片２６が折れ曲がり難くなって外れ難くなる。しかも、この例のホルダーＢでは、舌片２６，２７にそれぞれ補強用の罫線２６ａ，２７ａを形成してあるので、これによってさらに曲がり難くなっている。また、底板２１寄りのところに設けてあるＶ字状の折線ｏも前板２２と後板２４の内側への撓みに寄与する。
【００２９】
なお、上記の実施形態では、２のタイプともに２缶収納サイズの缶類用ホルダーで説明したが、本発明の缶類用ホルダーは、３缶以上を収納するサイズで形成することも可能である。
【００３０】
以上、本発明の実施の形態について詳細に説明してきたが、本発明による缶類用ホルダーは、上記実施の形態に何ら限定されるものではなく、本発明の趣旨を逸脱しない範囲において種々の変更が可能であることは当然のことである。
【図面の簡単な説明】
【００３１】
【図１】本発明に係る第１のタイプの缶類用ホルダーの一例を示す斜視図である。
【図２】図１のホルダーを組み立てるブランクの展開図である。
【図３】図１のホルダーを缶の収納状態で示す斜視図である。
【図４】図４の缶収納状態のホルダーを手で持った状態で示す斜視図である。
【図５】本発明に係る第２のタイプの缶類用ホルダーの一例を示す斜視図である。
【図６】図５のホルダーを組み立てるブランクの展開図である。
【図７】図５のホルダーを缶の収納状態で示す斜視図である。
【図８】図７の缶収納状態のホルダーを手で持った状態で示す斜視図である。
【符号の説明】
【００３２】
Ａ，Ｂ  ホルダー
Ｃ  缶
１０  ブランク
１１  底板
１２  前板
１３  天板
１４  後板
１５  糊代板
１６，１７  舌片
１６ａ，１７ａ  罫線
２０  ブランク
２１  底板
２２  前板
２３  天板
２４  後板
２５  糊代板
２６，２７  舌片
【図１】
0005088693.tif 000002
【図２】
0005088693.tif 000003
【図３】
0005088693.tif 000004
【図４】
0005088693.tif 000005
【図５】
0005088693.tif 000006
【図６】
0005088693.tif 000007
【図７】
0005088693.tif 000008
【図８】
0005088693.tif 000009